(57)【要約】【課題】  インターホンの撮像手段では来訪者のみの確認しかできないので、宅内の様子を確認することができない。【解決手段】  撮像手段５と、撮像手段５のデータを記憶する記憶手段６と、撮像手段を制御するための無線通信手段７と、撮像手段５を外部とのネットワークを可能とするための情報通信手段９と、これらを制御する制御手段１０、宅内、宅外の撮像を切替える切替手段１１とで構成し、宅内、宅外の撮像を切替える。【選択図】  図１
2005056229.tif 000002
【特許請求の範囲】
【請求項１】
撮像手段と、前記撮像手段のデータを記憶する記憶手段と、前記撮像手段と通信して遠隔制御するための無線通信手段と、前記撮像手段を外部とのネットワークを可能とするための情報通信手段と、前記記憶手段、撮像手段、無線通信手段、前記情報通信手段からの情報を送受、制御する制御手段で構成された装置において、前記装置は玄関付近に設置し、宅内、宅外の撮像の切替手段を有する構成とした見守り安心システム。
【請求項２】
装置は宅外から、無線通信手段を有する別のリモコンで、宅内と宅外の撮像の切替えの操作を可能とした請求項１記載の見守り安心システム。
【請求項３】
宅外への切替時は撮像手段の一部を露出する構成とした請求項１または２記載の見守り安心システム。
【発明の詳細な説明】
【技術分野】
【０００１】
本発明は、見守り安心システムに関し、特に外部から宅内に設置された機器の制御に関するものである。
【背景技術】
【０００２】
従来のこの種の見守り安心システムは図６に示すように玄関先等から操作スイッチ１で各種センサ群２〜４であるガス漏れ、火災、防犯カメラを動作確認するように構成されている（例えば、特許文献１参照）。
【０００３】
そして上記、操作スイッチ１は玄関の外にも同様の操作スイッチが配設され、その指令により各種センサ群と通信を行い動作が確認できるようになっていた。
【特許文献１】特開平０６−５２４８１号公報
【発明の開示】
【発明が解決しようとする課題】
【０００４】
しかしながら上記従来の見守り安心システムに加え、最近では、インターホンにカメラ等の撮像手段で来訪者を確認したりするシステムも普及しつつある。この時、玄関先に固定しているインターホンでは、来訪者のみの確認しかできないので、宅内の様子を確認することができなかった。また、犯罪者は、裏玄関等の勝手口から侵入するケースも多く、宅内での撮像手段がないと防犯の効果が向上しないという課題があった。
【課題を解決するための手段】
【０００５】
本発明は上記課題を解決するため、玄関等に装着でき、撮像手段と、撮像手段のデータを記憶する記憶手段と、撮像手段と通信して遠隔制御するための無線通信手段と、撮像手段を外部とのネットワークを可能とするための情報通信手段と、記憶手段、撮像手段、無線通信手段、情報通信手段からの情報を送受、制御する制御手段で構成し、宅内、宅外の撮像を切替える構成としたものである。
【０００６】
上記発明によれば、宅外の来訪者及び、宅内での不審者の撮像が遠隔で制御可能となる。
【発明の効果】
【０００７】
本発明の見守り安心システムは撮像手段と、撮像手段のデータを記憶する記憶手段と、撮像手段と通信して遠隔制御するための無線通信手段と、撮像手段を外部とのネットワークを可能とするための情報通信手段と、記憶手段、撮像手段、無線通信手段、情報通信手段からの情報を送受、制御する制御手段で構成し、宅内、宅外の撮像を切替える構成を有し、宅外の来訪者及び、宅内での不審者の撮像が遠隔で制御可能となるので、１台で宅内、宅外の切替えも可能となり侵入者への防犯上の効果が向上する効果がある。
【発明を実施するための最良の形態】
【０００８】
本発明の第１の発明にかかる見守り安心システムは、撮像手段と、撮像手段のデータを記憶する記憶手段と、撮像手段と通信して遠隔制御するための無線通信手段と、撮像手段を外部とのネットワークを可能とするための情報通信手段と、記憶手段、撮像手段、無線通信手段、情報通信手段からの情報を送受、制御する制御手段で構成し、宅内、宅外の撮像を切替える切替手段を有する。
【０００９】
そして、制御手段は、外部と接続している情報通信手段からのアクセスによって、撮像手段が来訪者及び宅内の不審者を切替えて撮像し、その結果を記憶手段に記憶する。また、撮像手段と制御手段の間は、無線通信手段によってデータの伝送を行なうことができる。
【００１０】
本発明の第２の発明にかかる見守り安心システムは宅外から、無線通信手段を有する別のリモコンで、宅内と宅外の切替えの操作を可能とした構成を有する。
【００１１】
そして、無線通信手段を有するリモコンの指令により、撮像手段の撮像を宅内と宅外に切替えることができる。これは、帰宅時に家の近くにきたときに使用するとその利便性は格段に向上する効果がある。
【００１２】
本発明の第３の発明にかかる見守り安心システムは装置の撮像手段の破壊を防止する構成を有する。
【００１３】
そして、本装置が、宅外からの盗難を防ぎ、盗難を敢行したときに撮像手段を宅内側に向けてしまえば、不審者の破壊を防ぎ、防犯効果が向上する効果がある。
【００１４】
（実施の形態１）
図１は本発明の第１の実施の形態における見守り安心システムを説明する構成図、図２は切替手段の構成図である。
【００１５】
図１において、５は撮像手段、６は撮像手段で撮像したデータを記憶する記憶手段、７は撮像手段と通信して遠隔制御するための無線通信手段、８は外部と通信するためのネットワーク網、９はネットワークを介してデータ通信するための情報通信手段、１０は記憶手段６、撮像手段５、無線通信手段７、情報通信手段９からの情報を送受、制御する制御手段、１１は、宅内と宅外の撮像を切替える切替手段、１２は撮像手段５、記憶手段６、無線通信手段７、制御手段１０、切替手段１１で構成された装置である。
【００１６】
次に動作、作用について説明すると、制御手段１０は、外部と接続している情報通信手段９からのアクセスによって、撮像手段５が来訪者及び宅内の不審者を切替手段１１にて切替えて撮像し、その撮像結果を記憶手段６に記憶する。また、撮像手段５と制御手段１０の間は、無線通信手段によってデータの伝送を行なうことができる。
【００１７】
そして、外部ネットワーク８に接続した情報通信手段９である携帯電話でもその撮像した画像を確認することも可能である。
【００１８】
なお、切替手段１１は、モータによる駆動やダンパーソレノイドでの駆動方法があるがいずれでもよい。例えば、図２において、１３は撮像手段５に設けたレンズであり、ダンパーソレノイドで駆動する場合は、ダンパーソレノイドに接続さえた先にカムを設けて、制御手段からのオンオフの指令によってその往復運動を撮像手段５のレンズ１３の宅外と宅内の切替えのための回転運動に変えているものである。
【００１９】
（実施の形態２）
図３は本発明の第２の実施の形態の見守り安心システムを示す構成図である。
【００２０】
第２の実施の形態において、第１の実施の形態と異なる点は宅外から、無線通信手段を有する別のリモコン１４で制御するところである。
【００２１】
なお、第１の実施の形態と同一符号のものは同一構造を有し、説明は省略する。
【００２２】
図３において、無線通信手段を有するリモコン１４の指令により、制御手段１０とのデータのやり取りにより撮像手段５の撮像を宅内と宅外に切替えるようにしている。このようにして、帰宅時に家の近くにきたときに使用するとその利便性は格段に向上する効果がある。例えば、宅外から、無線通信手段を有するリモコン１４で、まず撮像手段５を宅内側に切替えて、宅内に入る前に中の様子を情報通信手段９を介して中に不審者がいるかどうかの確認をすることもできるし、撮像手段５が宅外に向いていた時の来訪者を記憶手段６から確認することもできる。不審者がいないとわかれば、使用者は宅内に入り、リモコン１４を操作して、再び撮像手段５を宅外側に向けて来訪者の撮影をする操作も可能となる。このように宅外と宅内の切替えの遠隔操作をリモコン１４により可能としているので、帰宅時に家の近くにきたときに使用するとその利便性、保安性は格段に向上する効果がある。  
【００２３】
（実施の形態３）
図４、図５は本発明の第３の実施の形態の見守り安心システムを玄関に設置した時の宅外から見たときの構成図である。なお、第１の実施の形態と同一符号のものは同一構造を有し、説明は省略する。１５は玄関ドアである。
【００２４】
図４は本装置が玄関ドア１５付近に設置され、宅外側に撮像手段５のレンズ１３が向いている場合を示している。図５は本装置が玄関ドア付近に設置され、宅内側に撮像手段５のレンズ１３が向いている場合を示している。図４の宅外に向いているときは、宅外からは撮像手段５のレンズ部分が見えるだけである。図５の宅内に向いている時は撮像手段のレンズ１３の部分は宅外から見えない。また、使用者の目的に応じて、切替手段１１でこ宅内側に切替えてしまうこともできる。このように構成し、不審者からのレンズ１３の破壊を防ぎ、防犯効果が向上する効果がある。また、宅外からは撮像手段５のレンズ１３を露出するのみで宅外から取り出すことはできない構成としているので、本装置が、宅外からの盗難を防ぎ、盗難を敢行したときに撮像手段を宅内側に向けてしまえば、不審者の破壊を防ぎ、防犯効果が向上する効果もある。
【産業上の利用可能性】
【００２５】
以上のように本発明にかかる見守り安心システムは、宅外の来訪者及び、宅内での不審者の撮像が遠隔で制御が可能で、しかも１台で宅内、宅外の切替えも可能となるので、セキュリテイ等の分野で幅広く活用することが可能である。
【図面の簡単な説明】
【００２６】
【図１】本発明の実施の形態１における見守り安心システムの構成図
【図２】本発明の実施の形態１における切替手段の構成図
【図３】本発明の実施の形態２における見守り安心システムの構成図
【図４】本発明の実施の形態３における撮像手段が宅外に向いた時の構成図
【図５】本発明の実施の形態３における撮像手段が宅内に向いた時の構成図
【図６】従来の見守り安心システムの構成図
【符号の説明】
【００２７】
５  撮像手段
６  記憶手段
７  無線通信手段
８  ネットワーク網
９  情報通信手段
１０  制御手段
１１  切替手段
１２  装置
１３  レンズ
１４  リモコン
【図１】
2005056229.tif 000003
【図２】
2005056229.tif 000004
【図３】
2005056229.tif 000005
【図４】
2005056229.tif 000006
【図５】
2005056229.tif 000007
【図６】
2005056229.tif 000008